(57)【要約】【課題】ケース容積を拡充できるハードタイプスーツケースの提供。【解決手段】ケース縁端部を有するケースと、ケースの一側に対向して設置されると共にケース縁端部に対向する蓋体縁端部を有する蓋体と、ケース縁端部と蓋体縁端部との間に設置されると共に開閉状態間で操作され、閉じた状態ではケースと蓋体とは互いに接近し、開いた状態ではケースと蓋体とは互いに解離するファスナーと、蓋体縁端部に撓曲して設置されると共にファスナー内に位置され、蓋体縁端部に設置される第一拡充縁端部及び第一拡充縁端部に対向すると共に第一拡充縁端部に比べ蓋体縁端部からより離れる第二拡充縁端部を有する拡充層とケース縁端部と第二拡充縁端部との間に設置されると共にファスナー内に位置され、開閉状態間で操作され、閉じた状態では拡充層とケースとは互いに接近に、開いた状態では拡充層とケースとは互いに解離する拡充ファスナーを備える。【選択図】図４
2015036091.tif 000002
【特許請求の範囲】
【請求項１】
ケース縁端部を有するケースと、
前記ケースの一側に対向して設置されると共に前記ケース縁端部に対応する蓋体縁端部を有する蓋体と、
前記ケース縁端部と前記蓋体縁端部との間に設置されると共に閉じた状態と開いた状態との間で操作され、前記閉じた状態では前記ケースと前記蓋体とは互いに接近し、前記開いた状態では前記ケースと前記蓋体とは互いに解離するファスナーと、
前記蓋体縁端部に撓曲して設置されると共に前記ファスナー内に位置され、前記蓋体縁端部に設置される第一拡充縁端部及び前記第一拡充縁端部に対向すると共に前記第一拡充縁端部に比べ前記蓋体縁端部からより離れる第二拡充縁端部を有する拡充層と、
前記ケース縁端部と前記第二拡充縁端部との間に設置されると共に前記ファスナー内に位置され、閉じた状態と開いた状態との間で操作され、前記閉じた状態では前記拡充層と前記ケースとは互いに接近し、前記開いた状態では前記拡充層と前記ケースとは互いに解離する拡充ファスナーを備える事を特徴とするケース容積を拡充できるハードタイプスーツケース。
【請求項２】
前記ファスナーが前記閉じた状態での前記ケース縁端部と前記蓋体縁端部との間の距離は、前記拡充層が開いた状態での第一拡充縁端部と第二拡充縁端部との間の距離より短い事を特徴とする、請求項１に記載のケース容積を拡充できるハードタイプスーツケース。
【請求項３】
前記ファスナーは前記ケース縁端部に装設される第一ファスナーテープ、前記蓋体縁端部に装設される第二ファスナーテープ、及び前記第一ファスナーテープと前記第二ファスナーテープとの間に変移するように装設されると共に前記第一ファスナーテープと前記第二ファスナーテープとを開閉させる２つのスライダーボディを有し、前記拡充ファスナーは前記ケース縁端部に装設される第一拡充ファスナーテープ、前記第二拡充縁端部に装設される第二拡充ファスナーテープ、及び前記第一ファスナーテープと前記第二拡充ファスナーテープとの間に変移するように装設されると共に前記第一ファスナーテープと前記第二拡充ファスナーテープとを開閉させる２つの拡充スライダーボディを有する事を特徴とする、請求項１に記載のケース容積を拡充できるハードタイプスーツケース。
【発明の詳細な説明】
【技術分野】
【０００１】
本発明は、ケース容積を拡充できるハードタイプスーツケースに関する。
【背景技術】
【０００２】
図１及び図２は従来のケース容積を拡充できるハードタイプスーツケースを示す図である。ケース１１、ケース１１に対向する蓋体１２、蓋体１２の一端に設けられると共に蓋体１２とケース１１との間に位置される拡充層１３、ケース１１と拡充層１３との間に設置されるファスナー１４、及び蓋体１２とファスナー１４との間に設置される拡充ファスナー１５を備える。ユーザーはファスナー１４を開き物品をハードタイプスーツケース内に入れる。
【０００３】
図１に示すように、正常な状態では拡充ファスナー１５が閉じている場合、蓋体１２はケース１１に近接する。反対に、図２に示すように、ユーザーがハードタイプスーツケースのケース容積を拡充させたい場合、拡充ファスナー１５を開いて蓋体１２を蓋体１１から離し、拡充層１３をファスナー１４と蓋体１２との間で開かせる。
【先行技術文献】
【特許文献】
【０００４】
【特許文献１】なし
【発明の概要】
【発明が解決しようとする課題】
【０００５】
しかしながら、前述した従来のスーツケース技術では、ファスナー１４及び拡充ファスナー１５は直列接続形態でケース１１と蓋体１２との間に設置されるため、ファスナー１４及び拡充ファスナー１５の開閉状態によらず、ハードタイプスーツケースの外観はファスナー１４及び拡充ファスナー１５により美観が損なわれ、販売促進戦略やキャンペーン活動に影響を及ぼした。
【０００６】
さらに、拡充層１３の一端及び拡充ファスナー１５の一端は共にファスナー１４の一端に縫合されて設置されるため、縫い目設置箇所１６は構造的に強度が弱く、敗れ易い上に製造工程も煩雑である等の欠点が存在した。
【０００７】
そこで、本発明者は上記の欠点が改善可能と考え、鋭意検討を重ねた結果、合理的設計で上記の課題を効果的に改善する本発明の提案に到った。
【０００８】
本発明は、このような従来の問題に鑑みてなされたものである。上記課題解決のため、本発明は、ケース容積を拡充できるハードタイプスーツケースを提供し、販売促進戦略及びキャンペーン活動の効果を高めることを目的とする。
【０００９】
また、本発明のほかの目的は構造強度を高めた上で製造工程を簡略化可能なケース容積を拡充できるハードタイプスーツケースを提供することにある。
【課題を解決するための手段】
【００１０】
上述した課題を解決し、目的を達成するために、本発明に係るケース容積を拡充できるハードタイプスーツケースは、ケース縁端部を有するケースと、前記ケースの一側に対向して設置されると共に前記ケース縁端部に対応する蓋体縁端部を有する蓋体と、前記ケース縁端部と前記蓋体縁端部との間に設置されると共に閉じた状態と開いた状態との間で操作され、前記閉じた状態では前記ケースと前記蓋体とは互いに接近し、前記開いた状態では前記ケースと前記蓋体とは互いに解離するファスナーと、前記蓋体縁端部に撓曲して設置されると共に前記ファスナー内に位置され、前記蓋体縁端部に設置される第一拡充縁端部及び前記第一拡充縁端部に対向すると共に前記第一拡充縁端部に比べ前記蓋体縁端部からより離れる第二拡充縁端部を有する拡充層と、前記ケース縁端部と前記第二拡充縁端部との間に設置されると共に前記ファスナー内に位置され、閉じた状態と開いた状態との間で操作され、前記閉じた状態では前記拡充層と前記ケースとは互いに接近し、前記開いた状態では前記拡充層と前記ケースとは互いに解離する拡充ファスナーを備えることを特徴とする。
【００１１】
請求項２に記載のケース容積を拡充できるハードタイプスーツケースは請求項１において、前記ファスナーが前記閉じた状態での前記ケース縁端部と前記蓋体縁端部との間の距離は、前記拡充層が開いた状態での第一拡充縁端部と第二拡充縁端部との間の距離より短い。
【００１２】
請求項３に記載のケース容積を拡充できるハードタイプスーツケースは請求項１において、前記ファスナーは前記ケース縁端部に装設される第一ファスナーテープ、前記蓋体縁端部に装設される第二ファスナーテープ、及び前記第一ファスナーテープと前記第二ファスナーテープとの間に変移するように装設されると共に前記第一ファスナーテープと前記第二ファスナーテープとを開閉させる２つのスライダーボディを有し、前記拡充ファスナーは前記ケース縁端部に装設される第一拡充ファスナーテープ、前記第二拡充縁端部に装設される第二拡充ファスナーテープ、及び前記第一ファスナーテープと前記第二拡充ファスナーテープとの間に変移するように装設されると共に前記第一ファスナーテープと前記第二拡充ファスナーテープとを開閉させる２つの拡充スライダーボディを有する。
【図面の簡単な説明】
【００１３】
【図１】従来のケース容積を拡充できるハード面スーツケースを示す側面図である。
【図２】同上、ケース容積を拡充する状態図である。
【図３】同上、ファスナーが閉じられた状態図である。
【図４】同上、ファスナーが開かれた状態で、拡充ファスナーが閉じられた状態を示す状態図である。
【図５】図４を一部に示す拡大図である。
【図６】本発明の実施形態の側面図で、ファスナーが開かれた状態で、拡充ファスナーが開かれた状態を示す概略図である。
【発明を実施するための形態】
【００１４】
以下に図面を参照して本発明を実施するための形態について、詳細に説明する。なお、本発明は、以下に説明する実施形態に限定されるものではない。
【００１５】
本発明における好適な実施の形態において、図３乃至図６を参照しながら、ケース容積を拡充できるハードタイプスーツケースを詳細に説明する。主にケース２０、蓋体３０、ファスナー４０、拡充層５０、及び拡充ファスナー６０で構成される。ケース２０はケース縁端部２１を有し、本実施形態ではケース２０の頂部にはハンドル２２が設けられ、ケース２０の底部には２つの車輪２３が設けられ、ケース２０の背部には伸縮引き出し可能な伸縮引棒装置２４が設置され、ケース２０の側部にはファスナー４０或いは拡充ファスナー５０のロック及びロック解除を行う錠止部２５が設置される。伸縮引棒装置２４及び錠止部２５は共に従来の部材であり、作動方式も従来のものと同じであるため、本発明の創作の重点ではなく、これら前記部材の詳細な構造及び作動方式については詳述しない。
【００１６】
蓋体３０はケース２０の一側に対向して設置されると共にケース縁端部２１に対向する蓋体縁端部３１を有し、本実施形態によれば、蓋体３０の底端には２つの車輪３２が設置される。なお、ファスナー４０はケース縁端部２１と蓋体縁端部３１との間に設置されると共に閉じた状態と開いた状態との間で操作され、ファスナー４０が閉じた状態では(図３に示すように)、ケース２０と蓋体３０とは互いに接近し、ファスナー４０が開いた状態では(図４に示すように)、ケース２０と蓋体３０とは互いに解離する。本実施形態によると、ファスナー４０はケース縁端部２１に装設される第一ファスナーテープ４１、蓋体縁端部３１に装設される第二ファスナーテープ４２、及び第一ファスナーテープ４１と第二ファスナーテープ４２との間に変移するように装設されると共に第一ファスナーテープ４１と第二ファスナーテープ４２とを開閉させる２つのスライダーボディ４３を有する。
【００１７】
拡充層５０は蓋体縁端部３１に撓曲して設置されると共にファスナー４０内に位置され、拡充層５０は蓋体縁端部３１に設置される第一拡充縁端部５１及び第一拡充縁端部５１に対向すると共に第一拡充縁端部５１に比べ蓋体縁端部３１からより離れる第二拡充縁端部５２を有する。特に、第一拡充縁端部５１と第二ファスナーテープ４２とは蓋体縁端部３１に縫合されて装設されると共に被覆部材７１により被覆され、蓋体縁端部３１に縫合されて装設される。また、ファスナー４０が閉じた状態でのケース縁端部２１と蓋体縁端部３１との間の距離Ｌ１(図４に示すように)は、拡充層５０が開いた状態での第一拡充縁端部５１と第二拡充縁端部５２との間の距離Ｌ２(図４に示すように)よりも短い。
【００１８】
拡充ファスナー６０はケース縁端部２１と第二拡充縁端部５２との間に設置されると共にファスナー４０内に位置され、拡充ファスナー６０は閉じた状態と開いた状態との間で操作され、拡充ファスナー６０が閉じた状態では(図４に示すように)拡充層５０とケース２０とは互いに接近し、拡充ファスナー６０が開いた状態では(図６に示すように)拡充層５０とケース２０とは互いに解離する。本実施形態によれば、拡充ファスナー６０はケース縁端部２１に装設されると共に第一ファスナーテープ４１内に位置される第一拡充ファスナーテープ６１、第二拡充縁端部５２に装設される第二拡充ファスナーテープ６２、及び第一ファスナーテープ６１と第二拡充ファスナーテープ６２との間に変移するように装設されると共に第一ファスナーテープ６１と第二拡充ファスナーテープ６２とを開閉させる２つの拡充スライダーボディ６３を有する。ちなみに、第一拡充ファスナーテープ６１及び第一ファスナーテープ４１はケース縁端部２１に縫合されて装設され、被覆部材７２により被覆されてケース縁端部２１に縫合されて装設される。
【００１９】
ケース容積を拡充して使用する必要がない場合、即ち、ユーザーが内部の物品を取り入れする場合は、ユーザーはファスナー４０を操作し開いた状態(図４の参照)にし、蓋体３０とケース２０とを互いに解離させる。この際拡充ファスナー６０を再び操作して開いた状態(図６の参照)にし、拡充層５０及び蓋体３０とケース２０とを互いに解離させ、ユーザーは物品をハードタイプスーツケース内に取り入れでき、ファスナー４０を操作して閉じた状態(図３に示すように)にし、蓋体３０とケース２０とを互いに近接させて一体状態にする。
【００２０】
ケース容積を拡充させて使用したい場合、即ち、ユーザーが内部の物品を取り入れしたい場合、ユーザーはファスナー４０を操作して開いた状態(図４の参照)にし、蓋体３０とケース２０とを互いに解離させ、拡充層５０を蓋体３０と拡充ファスナー６０との間で開かせる。この際拡充ファスナー６０を操作して開いた状態(図６の参照)にし、ユーザーは物品をハードタイプスーツケース内に取り入れでき、拡充ファスナー６０を操作して閉じた状態(図４の参照)にして、拡充層５０を蓋体３０及びケース２０に互いに近接させて一体状態にする。
【００２１】
また、本発明に係る拡充層５０及び拡充ファスナー６０が装設された後にファスナー４０内に位置されることで、本発明はケース容積を拡充せずに使用でき、ファスナー４０が閉じた状態では拡充層５０及び拡充ファスナー６０はファスナー４０により遮蔽されて隠されるため、ハードタイプスーツケースの外観は美観を保ち、販売促進戦略やキャンペーン活動の効果を高める目的を達成させる。
【００２２】
次に、拡充ファスナー６０の第一拡充ファスナーテープ６１とファスナー４０の第一ファスナーテープ４１とは共にケース縁端部２１に縫合されて装設され、拡充層５０の第一拡充縁端部５１はファスナー４０の第二ファスナーテープ４２と共に蓋体縁端部３１に縫合されて装設され、拡充ファスナー６０の第二拡充ファスナーテープ６２は拡充層５０の第二拡充縁端部５２に直接縫合されて装設される。これにより、より少ない回数の縫合によりハードタイプスーツケースの製造を完成できるため、製造工程の簡略化の目的を達成させる。
【００２３】
このほか、ファスナー４０の第一ファスナーテープ４１及び第二ファスナーテープ４２はそれぞれケース縁端部２１及び蓋体縁端部３１に直接縫合されて設置され、拡充ファスナーテープ６０の第一拡充ファスナーテープ６１はケース縁端部２１に直接縫合されて設置され、拡充ファスナーテープ６０の第二拡充ファスナーテープ６２は拡充層５０の第二拡充縁端部５２に直接縫合されて設置され、拡充層５０の第一拡充縁端部５１は蓋体縁端部３１に直接縫合されて設置される。これにより、ファスナー４０と拡充ファスナー６０との間は相互に直列接続されず、縫合接続箇所の構造強度が弱くならず、従来の技術ではファスナーと拡充ファスナーとの間を直列接続していたのと比較し、構造強度が強化される。
【００２４】
ちなみに、本発明のケース容積を拡充できるハードタイプスーツケースのケース容積を拡充させずに使用する場合は、拡充ファスナー６０を操作し閉じた状態にすると同時にファスナー４０も操作し閉じた状態にすると、ハードタイプスーツケース内の物品の保護がより堅牢になる。即ち、ハードタイプスーツケースの運搬時にファスナー６０が衝撃を受けて引き裂かれても、閉じた状態の拡充ファスナー６０によりハードタイプスーツケースの密封状態が保持され、中の物品が飛び出すのを回避させる。
【００２５】
以上、本発明の実施形態について図面を参照して詳述したが、具体的な構成はこの実施形態に限られるものではなく、本発明の要旨を逸脱しない範囲の設計変更等も含まれる。
【符号の説明】
【００２６】
１１：ケース
１２：蓋体
１３：拡充層
１４：ファスナー
１５：拡充ファスナー
１６：縫い目設置箇所
２０：ケース
２１：ケース縁端部
２２：ハンドル
２３：車輪
２４：伸縮引棒装置
２５：錠止部
３０：蓋体
３１：蓋体縁端部
３２：車輪
４０：ファスナー
４１：第一ファスナーテープ
４２：第二ファスナーテープ
４３：スライダーボディ
５０：拡充層
５１：第一拡充縁端部
５２：第二拡充縁端部
Ｌ１：距離
Ｌ２：距離
６０：拡充ファスナー
６１：第一拡充ファスナーテープ
６２：第二拡充ファスナーテープ
６３：拡充スライダーボディ
７１：被覆部材
７２：被覆部材
【図１】
2015036091.tif 000003
【図２】
2015036091.tif 000004
【図３】
2015036091.tif 000005
【図４】
2015036091.tif 000006
【図５】
2015036091.tif 000007
【図６】
2015036091.tif 000008